(57)【要約】【課題】  ひとつのスタッドによって異なる方向に確実に防滑性能を得ることが出来、さらに突き上げを緩和することが出来るフットボールシューズ用防滑突起を提供する。【解決手段】接地部の形状を、足長方向に略直行する方向の全長Ｌ１と足長方向に略平行な方向の全長Ｌ２においてＬ１＞Ｌ２である第１の輪郭線と、足長方向に略平行な方向の全長Ｌ３と足長方向に略直行する方向の全長Ｌ４においてＬ３＞Ｌ４である第２の輪郭線とを連結した形状にする。【選択図】図２
2006296761.tif 000002
【特許請求の範囲】
【請求項１】
フットボールシューズのアウトソール底面に形成される防滑突起において、その接地部が方向性をもつ２つの輪郭線が互いに連結して形成されている形状であることを特徴とする防滑突起。
【請求項２】
請求項１において、
前記防滑突起の前記接地部の形状が、足長方向に略直行する方向の全長Ｌ１と足長方向に略平行な方向の全長Ｌ２においてＬ１＞Ｌ２である第１の輪郭線と、足長方向に略平行な方向の全長Ｌ３と足長方向に略直行する方向の全長Ｌ４においてＬ３＞Ｌ４である第２の輪郭線とを連結した形状であることを特徴とする防滑突起。
【請求項３】
請求項１ないし２のいずれかにおいて、
前記第１の輪郭線における足長方向に略平行な方向の全長Ｌ２、および前記第２の輪郭線における足長方向に略直行する方向の全長Ｌ４が３．５ｍｍ以上であることを特徴とする防滑突起。
【請求項４】
請求項１ないし３のいずれかにおいて、
靴型中心線より内甲側に配置された前記防滑突起において、前記防滑突起の前記第１の輪郭線上で足長方向に対して後方に位置する輪郭線８１上における全長Ｌ１に対する中心点を９１とした場合、靴型中心線に対して時計回り方向を正方向とすると、前記中心点９１における前記輪郭線８１の接線と靴型中心線とがなす角度が、４５度以上１１０度以下であることを特徴とする防滑突起。
【請求項５】
請求項１ないし４のいずれかにおいて、
靴型中心線より外甲側に配置された前記防滑突起において、前記防滑突起の前記第１の輪郭線上で足長方向に対して前方に位置する輪郭線８１’上における全長Ｌ１に対する中心点を９１’とした場合、靴型中心線に対して時計回り方向を正方向とすると、前記中心点９１’における前記輪郭線８１’の接線と靴型中心線とがなす角度が、４５度以上１１０度以下であることを特徴とする防滑突起。
【請求項６】
請求項１ないし５のいずれかにおいて、
前記防滑突起の前記第２の輪郭線上で前記アウトソールの端部に近い側に位置する輪郭線８２上における全長Ｌ３に対する中心点を９２とした場合、靴型中心線に対して時計回り方向を正方向とすると、前記中心点９２における前記輪郭線８２の接線と靴型中心線とがなす角度が、−５０度以上５０度以下であることを特徴とする防滑突起。
【請求項７】
請求項１ないし６のいずれかにおいて、
前記第１の輪郭線と前記第２の輪郭線の端部同士が、互いに連結されていることを特徴とする防滑突起。
【請求項８】
請求項１ないし７のいずれかにおいて、
前記防滑突起の前記接地部が、第１指末節骨付近および第１指中足趾節関節付近および第４指中足趾節関節付近に配置されたことを特徴とする防滑突起。
【発明の詳細な説明】
【技術分野】
【０００１】
本発明は、競技中にせん断力が加わりやすい２つの方向に対して、１つのスタッドで確実な防滑性能を得ることが出来、かつ、突き上げの少ないフットボールシューズ用の防滑突起に関する。
【背景技術】
【０００２】
従来から、地面に対する防滑性を高めるために、様々な防滑突起形状が提案されている。
【０００３】
例えば、実公昭２６−１４９４３には、防滑爪片の前面が円弧状壁をなすように形成された野球靴用防滑金具について開示されている。
【特許文献１】実公昭２６−１４９４３号公報
【０００４】
また、特開２００２−２７２５０６には、三角形の頂点の位置に配置された円柱形状が複数の連結部によって連結された防滑突起について開示されている。
【特許文献２】特開２００２−２７２５０６号公報
【発明の開示】
【発明が解決しようとする課題】
【０００５】
しかし、実公昭２６−１４９４３に開示される防滑金具は、異なる方向への防滑力は得られるものの、金属製の薄い板状の壁により形成されているので、固い地面で使用した際には足底から加わる圧力を効果的に分散させることが出来ず、非常に大きな突き上げ力が足底に及ぼされるという問題点があった。また、薄い板状の壁により形成されているので、他のプレーヤーとの接触が多いフットボール用の防滑突起として用いると他のプレーヤーを傷つける恐れがあり、また、芝生等の路面を痛めるという問題もあった。
【０００６】
また、特開２００２−２７２５０６に開示される防滑突起は、三角形の頂点の位置に配置された円柱形状が複数の薄い板状の連結部によって連結されており、かつその高さが低いために、やはり足底から加わる圧力を効果的に分散させることが出来ず、突き上げが生じるという問題点あった。
【０００７】
本発明は、前記従来の問題を解決するため、ひとつのスタッドによって異なる方向に確実に防滑性能を得ることが出来、さらに突き上げを緩和することが出来るフットボールシューズ用防滑突起を提供することを目的とする。
【課題を解決するための手段】
【０００８】
上記目的を達成するため、請求項１に記載の発明は、フットボールシューズのアウトソール底面に形成される防滑突起において、その接地部が方向性をもつ２つの輪郭線が互いに連結して形成されている形状であることを特徴とする防滑突起に関するものである。
【０００９】
請求項２に記載の発明は、請求項１において、前記防滑突起の前記接地部の形状が、足長方向に略直行する方向の全長Ｌ１と足長方向に略平行な方向の全長Ｌ２においてＬ１＞Ｌ２である第１の輪郭線と、足長方向に略平行な方向の全長Ｌ３と足長方向に略直行する方向の全長Ｌ４においてＬ３＞Ｌ４である第２の輪郭線とを連結した形状であることを特徴とする防滑突起に関するものである。
【００１０】
請求項３に記載の発明は、請求項１ないし２のいずれかにおいて、前記第１の輪郭線における足長方向に略平行な方向の全長Ｌ２、および前記第２の輪郭線における足長方向に略直行する方向の全長Ｌ４が３．５ｍｍ以上であることを特徴とする防滑突起に関するものである。
【００１１】
請求項４に記載の発明は、請求項１ないし３のいずれかにおいて、靴型中心線より内甲側に配置された前記防滑突起において、前記防滑突起の前記第１の輪郭線上で足長方向に対して後方に位置する輪郭線８１上における全長Ｌ１に対する中心点を９１とした場合、靴型中心線に対して時計回り方向を正方向とすると、前記中心点９１における前記輪郭線８１の接線と靴型中心線とがなす角度が、４５度以上１１０度以下であることを特徴とする防滑突起に関するものである。
【００１２】
請求項５に記載の発明は、請求項１ないし４のいずれかにおいて、靴型中心線より外甲側に配置された前記防滑突起において、前記防滑突起の前記第１の輪郭線上で足長方向に対して前方に位置する輪郭線８１’上における全長Ｌ１に対する中心点を９１’とした場合、靴型中心線に対して時計回り方向を正方向とすると、前記中心点９１’における前記輪郭線８１’の接線と靴型中心線とがなす角度が、４５度以上１１０度以下であることを特徴とする防滑突起に関するものである。
【００１３】
請求項６に記載の発明は、請求項１ないし５のいずれかにおいて、前記防滑突起の前記第２の輪郭線上で前記アウトソールの端部に近い側に位置する輪郭線８２上における全長Ｌ３に対する中心点を９２とした場合、靴型中心線に対して時計回り方向を正方向とすると、前記中心点９２における前記輪郭線８２の接線と靴型中心線とがなす角度が、−５０度以上５０度以下であることを特徴とする防滑突起に関するものである。
【００１４】
請求項７に記載の発明は、請求項１ないし６のいずれかにおいて、前記第１の輪郭線と前記第２の輪郭線の端部同士が、互いに連結されていることを特徴とする防滑突起に関するものである。
【００１５】
請求項８に記載の発明は、請求項１ないし７のいずれかにおいて、前記防滑突起の前記接地部が、第１指末節骨付近および第１指中足趾節関節付近および第４指中足趾節関節付近に配置されたことを特徴とする防滑突起に関するものである。
【発明の効果】
【００１６】
本発明は、ひとつのスタッドによって異なる方向に確実に防滑性能を得ることが出来、さらに突き上げを緩和することが出来るフットボールシューズ用防滑突起を提供できる。
【発明を実施するための最良の形態】
【００１７】
以下、本発明の実施態様を添付図面に基づいて説明する。
【００１８】
図１は本発明の一実施態様による防滑突起６を設けたシューズ１のアウトソール５の平面図である。また、図２は防滑突起６の斜視図であり、図３は防滑突起６の接地部７を真上から見た場合の模式図である。
【００１９】
図１に示すように、防滑突起６はアウトソール５上に設けられている。
防滑突起６は、その接地部７が方向性をもつ２つの輪郭線が互いに連結して形成されている形状である。
【００２０】
図２に示す様に、台座１２０の形状は接地部７の形状と等しいか、接地部７の形状を若干大きくした形状とする。また、接地部７と台座１２０は壁面１２１および１２２等により連結されている。
接地部７の形状と台座１２０の形状が等しい、すなわち、アウトソール５と壁面１２１および１２２とがなす角度が９０度の場合、台座１２０に対して接地部７の面積が最大となるので、より効果的に突き上げを緩和することが出来る。また、台座１２０の形状に対して接地部７の形状が小さい場合は、地面に対して防滑突起６が突き刺さりやすくなるので、より効果的に防滑力を発揮することが出来る。
【００２１】
防滑突起６を形成する材料としては、天然ゴムや合成ゴム等のラバーやウレタン等の合成樹脂が好ましい。
防滑突起６をラバーで形成した場合、ラバーの弾性により、より効果的に突き上げを緩和することが出来る。また、防滑突起６を合成樹脂で形成した場合、ラバーと比較して剛性が高いため、防滑突起６にせん断力が加わった際の変形が少なく、より効果的に防滑力を発揮出来る。
【００２２】
図３に示す様に、防滑突起６の接地部７の形状は、足長方向に略直行する方向の全長Ｌ１と足長方向に略平行な方向の全長Ｌ２においてＬ１＞Ｌ２となるような方向性をもつ第１の輪郭線７１、同じく、足長方向に略平行な方向の全長Ｌ３と足長方向に略直行する方向の全長Ｌ４においてＬ３＞Ｌ４となるような方向性をもつ第２の輪郭線７２とを連結した形状であるのが好ましい。
【００２３】
輪郭線７１の足長方向に略平行な方向の全長Ｌ２、および輪郭線７２の足長方向に略直行する方向の全長Ｌ４は、３．５ｍｍ以上であるのが好ましい。Ｌ２およびＬ４が３．５ｍｍより小さい場合、輪郭線７１および輪郭線７２の形状が薄い板状となってしまうため、固い地面等で使用した際に、足底から加わる圧力を十分に受け止めることが出来ず突き上げを効果的に緩和できないばかりでなく、防滑突起６にせん断力が加わった際に、小さなせん断力で変形してしまい防滑性を発揮できないからである。
【００２４】
図４は、靴型中心線１１より内甲側に配置された防滑突起６の接地部７を真上から見た場合の模式図である。
図４に示すように、靴型中心線１１より内甲側に配置された防滑突起６において、接地部７の輪郭線７１における足長方向に対して後方に位置する長手方向の輪郭線を８１、また輪郭線８１上における輪郭線７１の足長方向に略直行する方向の全長Ｌ１の中心点を９１とし、中心点９１における輪郭線８１の接線を１０１とする。
また、図７は図４において、防滑突起６に、足長方向と略平行な方向の応力Ｆ１が後方から加わった場合の模式図である。
図７に示すように、防滑突起６に足長方向と略平行な方向の応力Ｆ１が後方から加わった場合、応力Ｆ１は輪郭線８１と台座１２０を結ぶ壁面１２１によって受け止められるので、効果的に防滑力を得ることが出来る。
【００２５】
図５は、靴型中心線１１より外甲側に配置された防滑突起６’の接地部７’を真上から見た場合の模式図である。
図５に示すように、靴型中心線１１より外甲側に配置された防滑突起６’において、接地部７’の輪郭線７１’における足長方向に対して前方に位置する長手方向の輪郭線を８１’、また輪郭線８１’上における輪郭線７１’の足長方向に略直行する方向の全長Ｌ１の中心点を９１’とし、中心点９１’における輪郭線８１’の接線を１０１’とする。
また、図８は図５において、防滑突起６’に、足長方向と略平行な方向の応力Ｆ１’が前方から加わった場合の模式図である。
図８に示すように、防滑突起６’に足長方向と略平行な方向の応力Ｆ１’が前方から加わった場合、応力Ｆ１’は輪郭線８１’と台座１２０を結ぶ壁面１２１’によって受け止められるので、効果的に防滑力を得ることが出来る。
【００２６】
図６は、防滑突起６の接地部７を真上から見た場合の模式図である。
図６に示すように、防滑突起６において、接地部７の輪郭線７２におけるアウトソール５の端部に近い側に位置する長手方向の輪郭線を８２、また輪郭線８２上における輪郭線７２の足長方向に平行な方向の全長Ｌ３の中心点を９２とし、中心点９２における輪郭線８２の接線を１０２とする。
また、図９は図６において、防滑突起６に、足長方向と略直行する方向の応力Ｆ２がアウトソール５の端部方向から加わった場合の模式図である。
図９に示すように、防滑突起６に足長方向と略直行する方向の応力Ｆ２がアウトソール５の端部方向から加わった場合、応力Ｆ２は輪郭線８２と台座１２０を結ぶ壁面１２２によって受け止められるので、効果的に防滑力を得ることが出来る。
従って、防滑突起６単体でＦ１およびＦ２の２方向のせん断力に対する防滑力を得ることが出来る。また、接地部７の面積が十分な大きさとなるので、効果的に突き上げを緩和することが出来る。
【００２７】
図１０は、防滑突起６の接地部７を真上から見た場合の模式図である。
図１０に示すように、接地部７の形状を、第１の輪郭線７１と第２の輪郭線７２の端部同士を連結した形状に形成するのが好ましい。
第１の輪郭線７１と第２の輪郭線７２の端部同士を連結した形状に形成することによって、第１の輪郭線７１の輪郭線８１と台座１２０を結ぶ壁面１２１、および第２の輪郭線７２の輪郭線８２と台座１２０を結ぶ壁面１２２の長さが連続した状態で応力Ｆ１および応力Ｆ２を受けることが出来るので、防滑力を十分に発揮させることが出来る。
【００２８】
図１１は本発明の防滑突起６の接地部７のみをアウトソール５上に配置した模式図である。
図１１に示すように、靴型中心線１１より内甲側に配置された防滑突起６の接地部７において、靴型中心線１１に対して時計回り方向を正方向とすると、靴型中心線１１と接線１０１とがなす角度θ１が、４５度以上１１０度以下であるのが好ましい。
同じく、靴型中心線１１より外甲側に配置された防滑突起６’の接地部７’において、靴型中心線１１に対して時計回り方向を正方向とすると、靴型中心線１１と接線１０１’とがなす角度θ１’が、４５度以上１１０度以下であるのが好ましい。
角度θ１および角度θ１’を４５度以上１１０度以下にすることによって、ヘディングや前へのダッシュ時等の前方への動きに効果的に対応することが出来る。また、角度θ１が４５度以下、または、１１０度以上である場合、防滑力が不充分であったり、動きに沿わないといった不具合が生じる。
【００２９】
また、靴型中心線１１より内甲側および外甲側に配置された防滑突起６の接地部７において、靴型中心線１１に対して時計回り方向を正方向とすると、靴型中心線１１と接線１０２とがなす角度θ２が、−５０度以上５０度以下であるのが好ましい。
角度θ２を−５０度以上５０度以下にすることによって、サイドステップ等の横方向への動きに効果的に対応することが出来る。また、角度θ２が−５０度以下、または、５０度以上である場合、防滑力が不充分であったり動きに沿わないといった不具合が生じる。
【００３０】
図１２は、足の骨２０１に、サッカー競技中においてヘディングや前方へのダッシュ動作の際に足底から特に大きな圧力の加わる領域２０２と、本発明の実施態様による防滑突起６を設けたシューズ１のアウトソール５の模式図とを重ね合わせたものである。
図１２に示す様に、防滑突起６は、接地部７が、第１指末節骨付近および第１指中足趾節関節付近および第４指中足趾節関節付近に位置するように設けると良い。
接地部７が、第１指末節骨付近および第１指中足趾節関節付近および第４指中足趾節関節付近に位置するように設けることによって、効果的に足底から加わる圧力を分散することが出来る。
【産業上の利用可能性】
【００３１】
本発明の活用例としては、サッカーやラグビー等のフットボール用のシューズが考えられる。
【図面の簡単な説明】
【００３２】
【図１】本発明の一実施態様による防滑突起６を設けたシューズ１のアウトソール５の平面図である。
【図２】防滑突起６の斜視図である。
【図３】防滑突起６の接地部７を真上から見た場合の模式図である。
【図４】靴型中心線１１より内甲側に配置された防滑突起６の接地部７を真上から見た場合の模式図である。
【図５】靴型中心線１１より外甲側に配置された防滑突起６’の接地部７’を真上から見た場合の模式図である。
【図６】防滑突起６の接地部７を真上から見た場合の模式図である。
【図７】図４において、防滑突起６に、足長方向と略平行な方向の応力Ｆ１が後方から加わった場合の模式図である。
【図８】図５において、防滑突起６’に、足長方向と略平行な方向の応力Ｆ１’が前方から加わった場合の模式図である。
【図９】図６において、防滑突起６に、足長方向と略直行する方向の応力Ｆ２がアウトソール５の端部方向から加わった場合の模式図である。
【図１０】防滑突起６の接地部７を真上から見た場合の模式図である。
【図１１】本発明の防滑突起６の接地部７のみをアウトソール５上に配置した模式図である。
【図１２】足の骨２０１に、サッカー競技中においてヘディングや前方へのダッシュ動作の際に足底から特に大きな圧力の加わる領域２０２と、本発明の実施態様による防滑突起６を設けたシューズ１のアウトソール５の模式図とを重ね合わせたものである。
【符号の説明】
【００３３】
１：シューズ
１１：靴型中心線
２：アッパー
３：シューズソール
４：ミッドソール
５：アウトソール
６：防滑突起
７：接地部
７１：第１の輪郭線
７２：第２の輪郭線
８１：輪郭線７１の長手方向の輪郭線８１
８２：輪郭線７２の長手方向の輪郭線８２
１０１：接線
１０２：接線
１２０：台座
１２１：壁面
１２２：壁面
２０１：骨
２０２：サッカー競技中において瞬間的に大きな荷重の加わるヘディングや前方へのダッシュ動作の際に特に大きな荷重の加わる領域
Ｌ１；足長方向に略直行する方向の全長
Ｌ２；足長方向に略平行な方向の全長
Ｌ３；足長方向に略平行な方向の全長
Ｌ４；足長方向に略直行する方向の全長
【図１】
2006296761.tif 000003
【図２】
2006296761.tif 000004
【図３】
2006296761.tif 000005
【図４】
2006296761.tif 000006
【図５】
2006296761.tif 000007
【図６】
2006296761.tif 000008
【図７】
2006296761.tif 000009
【図８】
2006296761.tif 000010
【図９】
2006296761.tif 000011
【図１０】
2006296761.tif 000012
【図１１】
2006296761.tif 000013
【図１２】
2006296761.tif 000014